(57)【要約】【課題】自由に楕円運動のストロークを調整可能な運動器具を提供する。【解決手段】基部１０は、支持フレーム１１を有する。枢設軸１２は、支持フレーム１１に設けられる。一対のハンドル４０は、枢設軸１２に接続する。一対の足踏みロッド５０は、前方５３がハンドル４０に接続する。一対のクランク３０は、枢設軸２１を経由して支持フレーム１１に設けられ、それぞれ一本のシャフトロッド３１を持ち、枢設軸２１から遠く離れる箇所に設けられる。足踏みロッド５０の中間部位５１がそれぞれ一本のレバー５２でクランク３０のシャフトロッド３１に接続していることにより、足踏みロッド５０が自由に移動のストロックを調整し、連動レバー３２はハンドル４０に接続又は接続しないことを選択可能である。【選択図】図１
0003136416.tif 000002
【実用新案登録請求の範囲】
【請求項１】
支持フレーム（１１）を有する基部（１０）と、
支持フレーム（１１）に設けられている枢設軸（１２）と、
枢設軸（１２）に接続している一対のハンドル（４０）と、
一端（５３）がハンドル（４０）に接続している一対の足踏みロッド（５０）とを備え、
一対のクランク（３０）は枢設軸（２１）を経由して支持フレーム（１１）に設けられ、それぞれ一本のシャフトロッド（３１）を有し、枢設軸（２１）から一定の距離を有する箇所に設けられる足踏みロッド（５０）の中間部位（５１）がそれぞれ一本のレバー（５２）でクランク（３０）のシャフトロッド（３１）に接続し、足踏みロッド（５０）の楕円運動のストロークが調整され、連動レバー（３２）はハンドル（４０）のうちの多様な箇所に接続又は取り外しが可能であることを特徴とする運動器具。
【請求項２】
連動レバー（３２）は、ハンドル（４０）とクランク（３０）のシャフトロッド（３１）との間に接続され、連動レバー（３２）の一端（３４）は枢設軸（３５）がハンドル（４０）の少なくとも一つのホール（４３）に貫通することで取り付けられることを特徴とする請求項１記載の運動器具。
【請求項３】
枢設軸（２１）に抵抗力を施す抵抗力装置を有することを特徴とする請求項１記載の運動器具。
【考案の詳細な説明】
【技術分野】
【０００１】
本考案は、多様な操作モードを選択できる運動器具に関する。
【背景技術】
【０００２】
従来より、既存の運動器具は、楕円の運動だけで、足踏み機にされない。また、楕円運動のストロークは固定されており、調整できない。
このため、運動の機能は制限されている。
【考案の開示】
【考案が解決しようとする課題】
【０００３】
したがって、本考案の主な目的は、足踏み及び楕円運動を併用し、自由に楕円運動のストロークが調整できるという運動器具を提供することにある。
【課題を解決するための手段】
【０００４】
本考案は、支持フレームを持つ基部と、支持フレームに設けられている枢設軸と、枢設軸に接続している一対のハンドルと、前方がハンドルに接続している一対の足踏みロッドとを備え、一対のクランクは枢設軸を経由して支持フレームに設けられ、それぞれ一本のシャフトロッドを持ち、枢設軸から遠く離れる箇所に設けられる足踏みロッドの中間部位がそれぞれ一本のレバーでクランクのシャフトロッドに接続しているので、足踏みロッドが自由に楕円運動のストロークを調整し、連動レバーは選択可能にハンドルに接続し、又は、接続しないことを特徴とする。
【考案を実施するための最良の形態】
【０００５】
以下、本考案の実施形態を図に基づいて説明する。
（実施形態１）
まずは図１から図５を参照する。本考案の実施形態１による整体の楕円運動をする運動器具は、基部１０を含み、支持フレーム１１を持つ。枢設軸１２は、支持フレーム１１の前方１３に設ける。回転ホイール２０は、枢設軸２１を経由して、支持フレーム１１の後方１４に設ける。回転体２２は、枢設軸２３を経由して、支持フレーム１１に取り付けられる。他動ホイール２４は、枢設軸２３に締め付けられ、ベルトなどの連結ユニット２５で回転ホイール２０に連結される。フライホイール２６は、枢設軸２７を経由して、支持フレーム１１に締め付けられ、ベルトなどの連結ユニット２８で回転体２２に連結されるので、回転ホイール２０と枢設軸２１に抵抗力を施す。その他、電磁ブレーキやハイドロリックや気圧などの抵抗力の装置も使え、回転ホイール２０と枢設軸２１に抵抗力を施す。
【０００６】
一対のクランク３０は、枢設軸２１に締め付けられ、それぞれ一本のシャフトロッド３１を持ち、枢設軸２１から遠く離れている。一対のハンドル４０は、中間部位４１が枢設軸１２に接続され、それぞれ握り柄４２を有する。一対の足踏みロッド５０は、中間部位５１がレバー５２でクランク３０のシャフトロッド３１に接続される。その前方５３は、ハンドル４０の底部４４に接続され、それぞれ一枚の足踏み板５４を持つ。ハンドル４０がユーザに握られ、位置決めをする場合は、ユーザが足踏みロッド５０又は足踏み板５４を踏み、足踏み機の作用を発揮する。それに対して、ハンドル４０を振る場合は、ユーザは足踏みロッド５０又は足踏み板５４を踏み、運動器具の作用を果たす。
【０００７】
連動レバー３２は、一端３３がクランク３０のシャフトロッド３１に接続し、別端３４が枢設軸３５でハンドル４０の中間部位４１に接続する。ハンドル４０の中間部位４１に一つ又は一つ以上の孔４３があり、枢設軸３５を通過させることで枢設及び接続する。連動ロッド３２をハンドル４０に接続しない場合に、足踏みロッド５０の振れ幅を自由に調整することができる。連動ロッド３２の別端３４をハンドル４０の中間部位４１の一つの孔４３に接続する場合に、図８に示す如く、ハンドル４０、クランク３０およびレバー５２を一体に接続する。連動ロッド３２の枢設軸３５も変換でハンドル４０の中間部位のいずれかの孔４３に接続するので、足踏みロッド５０の移動ストロークを調整することができる。図９に示すように、連動ロッド３２の枢設軸３５は、フレーム３６に架設でき、ハンドル４０のスライドシュート４５に滑るように設置される。駆動装置６０が作動すると、ハンドル４０のスライドシュート４５に沿って移動でき、足踏みロッド５０又は足踏み板５４の移動ストロークを調整することができる。駆動装置６０としては、モーター６２や減速ギア６３などの駆動装置６０を採用する。
【図面の簡単な説明】
【０００８】
【図１】本考案の実施形態１による運動器具を示す斜視図である。
【図２】本考案の実施形態１による運動器具を示す斜視図である。
【図３】本考案の実施形態１による運動器具を示す分解斜視図である。
【図４】本考案の実施形態１による運動器具を示す分解斜視図である。
【図５】本考案の実施形態１による運動器具を示す平面図である。
【図６】本考案の実施形態１による運動器具を示す平面図である。
【図７】本考案の実施形態１による運動器具を示す平面図である。
【図８】本考案の実施形態１による運動器具を示す平面図である。
【図９】本考案の実施形態１による運動器具を示す平面図である。
【符号の説明】
【０００９】
１０：基部、１１：支持フレーム、１２：枢設軸、１３：前方、１４：後方、２０：回転ホイール、２１：枢設軸、２２：回転体、２３：枢設軸、２４：他動ホイール、２５：連結ユニット、２６：フライホイール、２７：枢設軸、２８：連結ユニット、３０：クランク、３１：シャフトロッド、３２：連動ロッド、３３：一端、３４：別端、３５：枢設軸、３６：フレーム、４０：ハンドル、４１：中間部位、４２：握り柄、４３：孔、４４：底部、４５：スライドシュート、５０：足踏みロッド、５１：中間部位、５２：レバー、５３：前方（一端）、５４：足踏み板、６０：駆動装置、６２：モーター、６３：減速ギア
【図１】
0003136416.tif 000003
【図２】
0003136416.tif 000004
【図３】
0003136416.tif 000005
【図４】
0003136416.tif 000006
【図５】
0003136416.tif 000007
【図６】
0003136416.tif 000008
【図７】
0003136416.tif 000009
【図８】
0003136416.tif 000010
【図９】
0003136416.tif 000011